(57)【要約】【課題】本発明は、２つのディスプレイを別々に見ている２人の利用者が、その表示画面を快適に見ることができる携帯端末装置を提供することを目的とする。【解決手段】本発明の携帯端末装置は、第１の筐体１の１つの端部に設けられた、第２の筐体２を回動自在に接続する第１のヒンジ部１３と、第１の筐体１の別の端部に設けられた、第３の筐体３を回動自在に接続する第２のヒンジ部２４と、第１の筐体１、第２の筐体２および第３の筐体３のうちのいずれか１つの筐体に設けられた第１の表示部２１と、第１の筐体１、第２の筐体２および第３の筐体３のうちの、第１の表示部２１が設けられた筐体を除く、いずれか１つの筐体に設けられた第２の表示部３１と、を備える。【選択図】図１
2007329713.tif 000002
【特許請求の範囲】
【請求項１】
第１の筐体の１つの端部に設けられた、第２の筐体を回動自在に接続する第１のヒンジ部と、
前記第１の筐体の別の端部に設けられた、第３の筐体を回動自在に接続する第２のヒンジ部と、
前記第１の筐体、前記第２の筐体および前記第３の筐体のうちのいずれか１つの筐体に設けられた第１の表示部と、
前記第１の筐体、前記第２の筐体および前記第３の筐体のうちの、前記第１の表示部が設けられた筐体を除く、いずれか１つの筐体に設けられた第２の表示部と、
を備える携帯端末装置。
【請求項２】
請求項１記載の携帯端末装置であって、
前記第１のヒンジ部は、前記第２の筐体を任意の角度に固定し、
前記第２のヒンジ部は、前記第３の筐体を任意の角度に固定する、
携帯端末装置。
【請求項３】
請求項２記載の携帯端末装置であって、
前記第１のヒンジ部は、前記第１の表示部により形成される表示面の法線と前記第２の表示部により形成される表示面の法線とが異なる向きになるよう、前記第２の筐体を固定し、
前記第２のヒンジ部は、前記第１の表示部により形成される表示面の法線と前記第２の表示部により形成される表示面の法線とが異なる向きになるよう、前記第３の筐体を固定する、
携帯端末装置。
【請求項４】
請求項１乃至３のいずれか１項に記載の携帯端末装置であって、
前記第１の表示部が設けられた筐体に設けられた第１の撮像部と、
前記第２の表示部が設けられた筐体に設けられた第２の撮像部と、
を備え、
前記第１の撮像部は、当該第１の撮像部による撮像方向と、前記第１の表示部によって形成される表示面に対して垂直な方向と、が略平行になるよう設けられ、
前記第２の撮像部は、当該第２の撮像部による撮像方向と、前記第２の表示部によって形成される表示面に対して垂直な方向と、が略平行になるよう設けられた、
携帯端末装置。
【請求項５】
請求項４記載の携帯端末装置であって、
前記第１の撮像部と前記第２の撮像部によって撮像した２つの画像データを編集する画像処理部と、
前記画像処理部により編集したデータを送信する通信部と、を備え、
前記画像処理部は、前記２つの画像データを１つの画像データに編集する、
携帯端末装置。
【請求項６】
請求項４記載の携帯端末装置であって、
前記第１の撮像部と前記第２の撮像部によって撮像した２つの動画像データを編集する画像処理部と、
前記画像処理部により編集したデータを送信する通信部と、を備え、
前記画像処理部は、前記２つの動画像データを１つの動画像データに編集する、
携帯端末装置。
【発明の詳細な説明】
【技術分野】
【０００１】
本発明は、２つのディスプレイを備えた携帯端末装置に関する。
【背景技術】
【０００２】
近年の携帯電話に代表される携帯端末装置には２つのディスプレイが設けられたものがあり、１つがメインディスプレイ、もう１つがサブディスプレイと称される、表示サイズが異なる２つのディスプレイを搭載したものが多い。特に、２つの筐体によって構成され、その２つの筐体を開閉可能な携帯端末装置においては、メインディスプレイは２つの筐体を開いたときにその表示画面を見ることができる位置に配置され、一方、サブディスプレイは２つの筐体を閉じていてもその表示画面を見ることができる位置に配置される。
【０００３】
しかし、この２つのディスプレイは対向して携帯端末装置の外表面に設けられて、全く逆方向に表示画面を表示しているため、携帯端末装置利用者が同時に２つのディスプレイを見るという用途を意図したものではない。
【０００４】
このため、２つのディスプレイのうちの一方のディスプレイが表示する向き（つまり、ディスプレイによって形成される表示面に対して垂直方向）と、残りのディスプレイが表示する向きと、を同じ向きにすることができるよう、いずれか一方のディスプレイを３つ目の筐体に設け、さらにその３つ目の筐体を回動させるヒンジを設けた携帯電話装置が提案されている（例えば、特許文献１）。
【０００５】
【特許文献１】特開２００５−２２３５０７号公報
【発明の開示】
【発明が解決しようとする課題】
【０００６】
しかしながら、特許文献１の携帯電話装置は、１人の携帯電話装置利用者に２つのディプレイが表示する向きを同一方向にすることによって、より多量の情報をその利用者に提示することができるものであり、２人の利用者が別々のディスプレイを見ることを想定したものではない。メインディスプレイとサブディスプレイを備えた携帯端末装置もまた、２人の利用者が別々のディスプレイを見ることを想定したものではない。このため、２人の利用者が別々のディスプレイを見ようとすると、一方の利用者は見難くなったり、２人が極めて接近した状態で見る必要があるなどのために、その表示画面を快適に見ることが困難であった。
【０００７】
本発明は、上記事情に鑑みてなされたもので、２つのディスプレイを別々に見ている２人の利用者が、その表示画面を快適に見ることができる携帯端末装置を提供することを目的とする。
【課題を解決するための手段】
【０００８】
本発明の携帯端末装置は、第１の筐体の１つの端部に設けられた、第２の筐体を回動自在に接続する第１のヒンジ部と、前記第１の筐体の別の端部に設けられた、第３の筐体を回動自在に接続する第２のヒンジ部と、前記第１の筐体、前記第２の筐体および前記第３の筐体のうちのいずれか１つの筐体に設けられた第１の表示部と、前記第１の筐体、前記第２の筐体および前記第３の筐体のうちの、前記第１の表示部が設けられた筐体を除く、いずれか１つの筐体に設けられた第２の表示部と、を備えるものである。
【０００９】
この構成によれば、２つのディスプレイを別々に見ている２人の利用者が、その表示画面を見ることができる。
【００１０】
また、本発明の携帯端末装置は、前記第１のヒンジ部が、前記第２の筐体を任意の角度に固定し、前記第２のヒンジ部が、前記第３の筐体を任意の角度に固定する、ものを含む。
【００１１】
この構成によれば、２つのディスプレイを別々に見ている２人の利用者が、各利用者にとって視聴し易い角度に設定されたディスプレイによってその表示画面を見ることができる。
【００１２】
また、本発明の携帯端末装置は、前記第１のヒンジ部が、前記第１の表示部により形成される表示面の法線と前記第２の表示部により形成される表示面の法線とが異なる向きになるよう、前記第２の筐体を固定し、前記第２のヒンジ部が、前記第１の表示部により形成される表示面の法線と前記第２の表示部により形成される表示面の法線とが異なる向きになるよう、前記第３の筐体を固定する、ものを含む。
【００１３】
この構成によれば、２つのディスプレイを別々に見ている２人の利用者が、密着せずに視聴することができるため、その表示画面を快適に見ることができる。
【００１４】
また、本発明の携帯端末装置は、前記第１の表示部が設けられた筐体に設けられた第１の撮像部と、前記第２の表示部が設けられた筐体に設けられた第２の撮像部と、を備え、前記第１の撮像部が、当該第１の撮像部による撮像方向と、前記第１の表示部によって形成される表示面に対して垂直な方向と、が略平行になるよう設けられ、前記第２の撮像部が、当該第２の撮像部による撮像方向と、前記第２の表示部によって形成される表示面に対して垂直な方向と、が略平行になるよう設けられた、ものを含む。
【００１５】
この構成によれば、２つのディスプレイを別々に見ている２人の利用者を、それぞれ確実に撮像することができる。
【００１６】
また、本発明の携帯端末装置は、前記第１の撮像部と前記第２の撮像部によって撮像した２つの画像データを編集する画像処理部と、前記画像処理部により編集したデータを送信する通信部と、を備え、前記画像処理部が、前記２つの画像データを１つの画像データに編集する、ものを含む。
【００１７】
また、本発明の携帯端末装置は、前記第１の撮像部と前記第２の撮像部によって撮像した２つの動画像データを編集する画像処理部と、前記画像処理部により編集したデータを送信する通信部と、を備え、前記画像処理部が、前記２つの動画像データを１つの動画像データに編集する、ものを含む。
【００１８】
この構成によれば、２つの撮像部によってそれぞれ撮像した画像データを、１つにまとめて別の携帯端末装置に送信することができるため、２つの画像データを１画像分のデータ量で送信することができる。このため、従来のＴＶ電話で利用する一回線分の通信回線であっても、２人分の画像データを送受信することができる。
【発明の効果】
【００１９】
本発明の携帯端末装置によれば、２つのディスプレイを別々に見ている２人の利用者が、その表示画面を快適に見ることができる。
【発明を実施するための最良の形態】
【００２０】
以下、本発明の実施の形態の携帯端末装置について詳細に説明する。図１、図２および図３に、本発明の実施の形態の携帯端末装置における正面図、背面図および側面図を示す。
本発明の実施の形態携帯端末装置は、３つの筐体から構成される。すなわち、操作キー１１が外表面に設けられ、内部には回路基板（図示せず）、アンテナ（図示せず）および収音マイク１２などの主要回路が内蔵された第１の筐体１、第１の表示部２１、第１のカメラ２２およびスピーカ２３が設けられた第２の筐体２、および、第２の表示部３１および第２のカメラ３２が設けられた第３の筐体３によって構成される。第１の筐体１と第２の筐体２は、第１の筐体１に設けられた第１のヒンジ部１３を軸心として、その軸心を中心とする方向に回動可能に接続されている。また、第２の筐体２と第３の筐体３は、第２の筐体２に設けられた第２のヒンジ部２４を軸心として、その軸心を中心とする方向に回動可能に接続されている。以下、第１の筐体１と第２の筐体２とが対向して面する状態を第１の筐体と第２の筐体が閉じた状態、第１の筐体１と第２の筐体２とが対向して面する状態以外の状態を第１の筐体と第２の筐体が開いた状態とし、また同様に、第２の筐体２と第３の筐体３とが対向して面する状態を第２の筐体と第３の筐体が閉じた状態、第２の筐体２と第３の筐体３とが対向して面する状態以外の状態を第２の筐体と第３の筐体が開いた状態とする。
【００２１】
図１（ａ）に、本発明の実施の形態の携帯端末装置における、第１の筐体と第２の筐体が開いた状態でかつ第２の筐体と第３の筐体が閉じた状態であるときの、正面図（ａ）、背面図（ｂ）および側面図（ｃ）を示す。なお、図１（ｃ）には、第１の筐体と第２の筐体が開いた状態の異なる複数の側面図を図示している。第１の筐体１に設けられた操作キー１１と第２の筐体２に設けられた第１の表示部２１は、第１の筐体１と第２の筐体２が閉じた状態にあるときに面するようにそれぞれ配設されている。また、第３の筐体３に設けられた第２の表示部３１は、第２の筐体２と第３の筐体３が閉じた状態にあるときに第２の筐体２に設けられた第１の表示部２１の背面に位置するように配設されている。また、図１（ｃ）に示すように、第１のヒンジ部１３は、第１の筐体１に対する第２の筐体２の回転角度θ１を任意の角度にして、第２の筐体２を固定することができる。図１（ａ）、図１（ｂ）、図１（ｃ）のように、第２の筐体２と第３の筐体３が閉じた状態にあるときは、従来の２つの筐体を開閉可能な携帯端末装置と同様の構成であるため（第２の筐体２と第３の筐体３とによって一つの筐体が形成されているように見えるため）、本発明の携帯端末装置を従来の携帯端末装置と同様に扱うことができる。
【００２２】
図２に、本発明の実施の形態の携帯端末装置における、第１の筐体と第２の筐体が閉じた状態でかつ第２の筐体と第３の筐体が閉じた状態であるときの、正面図（ａ）、背面図（ｂ）および側面図（ｃ）を示す。図２（ａ）、図２（ｂ）、図２（ｃ）のように、第１の筐体１と第２の筐体２が閉じた状態かつ第２の筐体２と第３の筐体３が閉じた状態にあるときは、従来の２つの筐体を開閉可能な携帯端末装置と同様の構成であるため（第２の筐体２と第３の筐体３とによって一つの筐体が形成されているように見えるため）、本発明の携帯端末装置を従来の携帯端末装置と同様に扱うことができる。
【００２３】
図３に、本発明の実施の形態の携帯端末装置における、第１の筐体と第２の筐体が開いた状態でかつ第２の筐体と第３の筐体が開いた状態であるときの、正面図（ａ）、背面図（ｂ）および側面図（ｃ）を示す。なお、図３（ｃ）には、第２の筐体と第３の筐体が開いた状態の異なる複数の側面図を図示している。図３（ｃ）に示すように、第２のヒンジ部２４は、第２の筐体２に対する第３の筐体３の回転角度θ２を任意の角度にして、第３の筐体２を固定することができる。このため、図３（ａ）、図３（ｂ）、図３（ｃ）のように、第１の筐体と第２の筐体、および第２の筐体と第３の筐体が共に開いた状態にあるとき、携帯端末装置利用者は、第２の筐体２または第３の筐体３を第２のヒンジ部２４を軸心として適宜回転させることにより、第１の表示部２１または第２の表示部３１に表示された表示画面を見るために最適な角度に調整することができる。また、図３（ｃ）のように第２の筐体２と第３の筐体が山形になるような角度に調整されている場合には、２つの矢印で示す２方向から２人の利用者が第１の表示部２１または第２の表示部３１に表示された表示画面を別々に見ることができ、さらに、第１の表示部２１を見ている利用者が第１のヒンジ部１３を軸とする回転方向に第２の筐体２を回転して視野角を調整し、第２の表示部３１を見ている利用者が第２のヒンジ部２４を軸とする回転方向に第３の筐体３を回転して視野角を調整することにより、その２人それぞれにとって最適な視野角によって第１の表示部２１または第２の表示部３１の表示画面を見ることができる。なお、２人の利用者が第１の表示部２１または第２の表示部３１に表示された表示画面を別々に見る場合の、第１の表示部２１または第２の表示部３１による最適な視野角は、第１の筐体１に対する第２の筐体２の回転角度θ１にも依るが、概ね、第２の筐体２に対する第３の筐体３の回転角度θ２を０度から１８０度の範囲で回転させたときである。
【００２４】
また、上記の本発明の実施の形態の携帯端末装置以外の機構として、次のような機構も考えられる。図４に、本発明の実施の形態の携帯端末装置における正面図、背面図および側面図を示す。図４に示す携帯端末装置は、第１の筐体１に、第１のヒンジ部１３と第２のヒンジ部１４が設けられ、第１の筐体１と第２の筐体２が第１のヒンジ部１３を、第１の筐体と第３の筐体が第２のヒンジ部１４を、をそれぞれ軸とする方向に回動可能に接続されている。図４（ｃ）に示すように、第１のヒンジ部１３は、第１の筐体１に対する第２の筐体２の回転角度θ１を任意の角度にして、第２の筐体２を固定することができ、また、第２のヒンジ部１４は、第２の筐体２に対する第３の筐体３の回転角度θ２を任意の角度にして、第３の筐体２を固定することができる。図４（ａ）、図４（ｂ）、図４（ｃ）のように、第１の筐体と第２の筐体、および第２の筐体と第３の筐体が共に開いた状態にあるとき、携帯端末装置利用者は、第２の筐体２または第３の筐体３を適宜回転させることにより、第１の表示部２１または第２の表示部３１に表示された表示画面を見るために最適な角度に調整することができる。また、図４（ｂ）のように第１の筐体１と第２の筐体２と第３の筐体が山形になるような角度に調整されている場合には、２つの矢印で示す２方向から２人の利用者が第１の表示部２１または第２の表示部３１に表示された表示画面を別々に見ることができ、さらに、第１の表示部２１を見ている利用者が第１のヒンジ部１３を軸とする回転方向に第２の筐体２を回転して視野角を調整し、第２の表示部３１を見ている利用者が第２のヒンジ部１４を軸とする回転方向に第３の筐体３を回転して視野角を調整することにより、その２人それぞれにとって最適な視野角によって第１の表示部２１または第２の表示部３１の表示画面を見ることができる。なお、２人の利用者が第１の表示部２１または第２の表示部３１に表示された表示画面を別々に見る場合の、第１の表示部２１または第２の表示部３１による最適な視野角は、第１の筐体１に対する第２の筐体２の回転角度θ１を９０度から１８０度の範囲で、第２の筐体２に対する第３の筐体３の回転角度θ２を１８０度から２７０度の範囲で回転させたときである。
【００２５】
次に、上述した、本発明の実施の形態の携帯端末装置を利用して、第１の表示部２１または第２の表示部３１を見ている２人が、第２の筐体に設けられた第１のカメラ２２または第３の筐体に設けられた第２のカメラ３２によって自身を撮影しつつ、別の携帯端末装置との間でテレビ電話を行う場合について説明する。なお、第２の筐体２に設けられた第１のカメラ２２は、その撮像方向と、第１の表示部２１によって形成される表示面に対して垂直な方向と、が略平行に調整できるように可動式の機構になっており、また、第３の筐体３に設けられた第２のカメラ３２も、その撮像方向と、第２の表示部３２によって形成される表示面に対して垂直な方向と、が略平行に調整できるように可動式の機構になっている。
【００２６】
近年、２つの携帯電話間においてＴＶ電話を実現するサービスが提供されており、各携帯電話に備わる１つのカメラによって撮像した動画像データを送信することによって、相手側携帯電話に自身の様子、あるいは自身のいる近辺の様子を伝えることができる。本発明の携帯端末装置は、２つのカメラによって撮像した２人分の動画像データを送信することによって、相手側携帯電話にその２人の様子、あるいはその２人のいる近辺の様子を伝えることを目的とする。
【００２７】
しかしながら、１台の携帯端末装置には、当然のことながら、ＴＶ通話用の回線が１端末分割り当てられるに過ぎないため、２つのカメラによって撮像した動画像を独立に相手側携帯端末装置に送信しようとしても、その動画像を送信できない、あるいは送信できても送信に時間がかかるために再生画像が通話音声と同期しない、などの問題が発生する。また、相手側携帯端末装置に対しては、２人分の動画像を受信したときの、ＴＶ電話に適したその動画像の再生手法を考慮する必要がある。以下、動画像を送信する携帯端末装置およびその動画像を受信する携帯端末装置の処理を、２つの実施形態に分けて説明する。
【００２８】
（第１実施形態）
以下、本発明の第１実施形態の携帯端末装置について説明する。図５に、本発明の第１実施形態の携帯端末装置の構成を表す構成図を示す。
本発明の第１実施形態の携帯端末装置は、第１のカメラ２２および第２のカメラ３２によって撮像した画像からＴＶ電話相手の携帯端末装置に送信するための動画像を生成する画像生成回路と、ＴＶ電話相手の携帯端末装置から受信した動画像を第１の表示部２１または第２の表示部３１に表示するための画像を生成する画像再生回路と、を備えている。画像生成回路は、画像信号処理制御部１５、送信信号生成部１６、無線部１７、とから構成される。画像再生回路は、無線部１７、受信信号復号部１８、受信映像処理制御部１９とから構成される。なお、画像生成回路および画像再生回路は、第１の筐体１内部の回路基板に搭載されることが好ましいが、第２の筐体２内部あるいは第３の筐体３内部にこれらの回路を配置する空間があればその空間に配置するようにしても良い。
【００２９】
画像生成回路について説明する。画像信号処理制御部１５は、第１のカメラ２２および第２のカメラ３２によって撮像した映像を映像信号（第１のカメラ２２からの映像信号を映像信号１、第２のカメラ３２からの映像信号を映像信号２、と称する）として入力し、その映像信号をデータ処理した合成画像データを送信信号生成部１６に出力する。画像信号処理制御部１５による合成画像信号を生成するためのデータ処理については後述する。送信信号生成部１６は、画像信号処理制御部１５から入力した合成画像データを携帯無線送信用のデータパケットに変換し、そのデータパケットを逐次無線部１７に出力する。無線部１７は、送信信号生成部１６から入力したデータパケットを基に変調した携帯無線用の電波を出力する。
【００３０】
画像再生回路について説明する。無線部１７はまた、受信した携帯無線用の電波を復調した信号を受信信号復号部１８に出力する。受信信号復号部１８は、無線部１７から入力した信号を復号した画像データを受信映像処理制御部１９に出力する。受信映像処理制御部１９は、画像データを第１の表示部２１または第２の表示部３１に出力する。受信映像処理制御部１９による第１の表示部２１または第２の表示部３１へ出力する画像データの詳細については後述する。
【００３１】
次に、画像信号処理制御部１５による合成画像信号を生成するためのデータ処理の１例について説明する。画像信号処理制御部１５による処理の目的は、第１のカメラ２２および第２のカメラ３２から入力した映像信号１、２を編集し、相手側の携帯端末装置に送信する画像データ量を抑えることである。つまり、１台のカメラによって撮像した画像を送信する、従来の携帯電話によるＴＶ電話の２倍のデータ量を送信することなく、従来の携帯電話によるＴＶ電話と同程度のデータ量の送信によって２台のカメラによって撮像した画像を送信することできるように、映像信号１、２を編集することである。
【００３２】
第１のカメラ２２および第２のカメラ３２は、所定のサイズ分の画像データ（例えば、１４４×１７６ピクセル分の画像データ）を映像信号１、２として出力する。このため、画像信号処理制御部１５は、第１のカメラ２２および第２のカメラ３２から入力した映像信号１、２のうち、縦方向あるいは横方向のピクセルの画像データを間引くことによって画像データのデータ量を抑制する。画像信号処理制御部１５が間引くデータ量は、本発明の携帯端末装置が２人分の画像データを送信するため、第１のカメラ２２および第２のカメラ３２から入力した画像データそれぞれを半分程度間引くことが好ましい。図６に、本発明の第１実施形態の携帯端末装置による間引く前後の画像データの概念図を示す。図６（ａ１）は、第１のカメラ２２によって撮像した画像データ、図６（ａ２）は、第２のカメラ３２によって撮像した画像データ、図６（ｂ）は、第１のカメラ２２および第２のカメラ３２によって撮像した画像データを縦方向に間引いた画像データ、図６（ｃ）は、第１のカメラ２２および第２のカメラ３２によって撮像した画像データを横方向に間引いた画像データ、図６（ｄ）は、第１のカメラ２２および第２のカメラ３２によって撮像した画像データを縦方向および横方向に間引いた画像データ、図６（ｅ）は、第１のカメラ２２および第２のカメラ３２によって撮像した画像データのうち、画像中央部以外の領域を間引いた画像データ、をそれぞれ示す。
【００３３】
画像信号処理制御部１５は、間引いた２つの画像を所定のサイズに収まるように各ピクセルに再配置した画像データを送信信号生成部１６に出力することになる。なお、この所定のサイズは、ＴＶ電話開始前に、画像サイズおよびフォーマット情報を規定した情報を発信側携帯端末装置−着信側携帯端末装置間における伝送信号のヘッダー情報の一情報としてやりとりしておくことによって（メールなどの他の通信アプリケーションを利用して同様の情報をやりとりしておいても構わない）、発信側携帯端末装置および着信側携帯端末装置に共通のものが記憶されるようにしてもよいし、あるいは、予め連絡を取り合っておいた発信側携帯端末装置の利用者および着信側携帯端末装置の利用者が自身の操作によって発信側携帯端末装置および着信側携帯端末装置に共通のものが予め記憶されるようにしてもよい。このようにして、１台の携帯端末装置を利用している２人の画像が、ＴＶ通話相手の携帯端末装置に送信されることになる。
【００３４】
一方、ＴＶ通話相手の携帯端末装置の表示部には、上述の２人画像から構成される合成画像が表示されることになるが、その合成画像のうちのどちらか一方の画像のみを表示させたい場合がある。例えば、音声通話において発話している人の画像のみを表示する場合などである。この場合、ＴＶ通話相手の携帯端末装置は、合成画像のうち、表示させたい画像領域を特定する必要がある。
【００３５】
このような場合には、画像信号処理制御部１５は、合成後の画像データを送信信号生成部１６に出力すると共に、画像データのピクセルのうち、（ｘ、ｙ）＝（Ｘ０＜ｘ＜Ｘ１、Ｙ０＜ｙ＜Ｙ１）は第１の画像、（ｘ、ｙ）＝（Ｘ１＜ｘ＜Ｘ２、Ｙ１＜ｙ＜Ｙ２）は第２の画像、などと出力して、合成画像データのうちの２人の画像領域を特定する領域特定情報をＴＶ電話開始時に発信側携帯端末装置−着信側携帯端末装置間における伝送信号のヘッダー情報の一情報としてＴＶ通話相手の携帯端末装置に通知する（ＴＶ電話開始前に、メールなどの他の通信アプリケーションを利用して同様の情報をやりとりしておいても構わない）。そして、ＴＶ通話相手の携帯端末装置の受信映像処理制御部１９は、受信した領域特定情報を参照して、画像データのうちの一部の領域を抽出し、その抽出した画像データに対してフィルタリング処理を施して所定のサイズに拡大した後表示する。この処理により、ＴＶ通話相手の携帯端末装置は、合成画像のうちのどちらか１名の画像のみを表示させることができる。
【００３６】
また、発信側携帯端末装置−着信側携帯端末装置間で領域特定情報をやりとりしておかなくても、発信側携帯端末装置にて行う２つの画像データの合成処理方法を予め取り決めておけば、着信側携帯端末装置は画像データのうちの２つの画像データを判別することができる。例えば、図６（ｂ）に示す、縦方向に間引いた２つの画像を所定のサイズに収まるように合成する合成処理方法を発信側携帯端末装置が必ず行うと予め取り決めておけば、着信側携帯端末装置は受信した画像データのうちの上方半分のピクセルにおける画像データを抽出し、その抽出した画像データに対してフィルタリング処理を施して所定のサイズに拡大した後表示する。このように発信側携帯端末装置−着信側携帯端末装置間で取り決めておくことにより、領域特定情報を利用しない構成によっても本発明を実現することができる。
【産業上の利用可能性】
【００３７】
本発明の携帯端末装置によれば、２つのディスプレイを別々に見ている２人の利用者が、その表示画面を快適に見ることができ、２つのディスプレイを備えた携帯端末装置の分野において有用である。
【図面の簡単な説明】
【００３８】
【図１】本発明の実施の形態の携帯端末装置における、第１の筐体と第２の筐体が開いた状態でかつ第２の筐体と第３の筐体が閉じた状態であるときの、正面図（ａ）、背面図（ｂ）および側面図（ｃ）
【図２】本発明の実施の形態の携帯端末装置における、第１の筐体と第２の筐体が閉じた状態でかつ第２の筐体と第３の筐体が閉じた状態であるときの、正面図（ａ）、背面図（ｂ）および側面図（ｃ）
【図３】本発明の実施の形態の携帯端末装置における、第１の筐体と第２の筐体が開いた状態でかつ第２の筐体と第３の筐体が開いた状態であるときの、正面図（ａ）、背面図（ｂ）および側面図（ｃ）
【図４】図４に、本発明の実施の形態の携帯端末装置における正面図、背面図および側面図の他例
【図５】本発明の第１実施形態の携帯端末装置の構成を表す構成図
【図６】本発明の第１実施形態の携帯端末装置による間引く前後の画像データの概念図
【符号の説明】
【００３９】
１  第１の筐体
１１  操作キー
１２  収音マイク
１３  第１のヒンジ部
１４  第２のヒンジ部
１５  画像信号処理制御部
１６  送信信号生成部
１７  無線部
１８  受信信号復号部
１９  受信映像処理制御部
２  第２の筐体
２１  第１の表示部
２２  第１のカメラ
２３  スピーカ
２４  第２のヒンジ部
３  第３の筐体
３１  第２の表示部
３２  第２のカメラ
【図１】
2007329713.tif 000003
【図２】
2007329713.tif 000004
【図３】
2007329713.tif 000005
【図４】
2007329713.tif 000006
【図５】
2007329713.tif 000007
【図６】
2007329713.tif 000008